(57)【特許請求の範囲】
【請求項１】
撮像装置であって、
ライブ画像を連続的に生成し、かつ、撮影を行って静止画像を生成する撮像モジュールと、
前記ライブ画像の受信と並行して前記ライブ画像を表示する表示装置に前記ライブ画像を送信し、撮影指示を前記表示装置から受信する通信モジュールと、
前記表示装置に対する前記ライブ画像の送信の有無を検出する送信検出部と、
前記撮影指示が受信される前に前記ライブ画像の送信が行われていたか否かを示す送信情報を、前記撮影指示に基づいて生成された前記静止画像に付加する情報付加部と、
前記送信情報が付加された前記静止画像を記憶する記憶モジュールと、
を有する撮像装置。
【請求項２】
前記記憶モジュールに記憶された前記静止画像の中から、前記ライブ画像の送信が行われていないことを示す前記送信情報が付加された前記静止画像を選択する画像選択部をさらに有し、
前記通信モジュールはさらに、前記画像選択部によって選択された前記静止画像を前記表示装置に送信する請求項１に記載の撮像装置。
【請求項３】
前記画像選択部によって選択された前記静止画像に画像処理を行う画像処理部をさらに有し、
前記通信モジュールは、前記画像処理部によって処理された前記静止画像を前記表示装置に送信する請求項２に記載の撮像装置。
【請求項４】
前記撮影指示が受信される前に前記ライブ画像の送信が行われていない場合、前記撮像モジュールの撮像パラメータを制御する撮影制御部をさらに有する請求項１に記載の撮像装置。
【請求項５】
前記撮像装置に対して装着と取り外しとが可能な、被写体の光学像または前記ライブ画像を表示する表示インタフェースが前記撮像装置に装着されているか否かを検出する表示インタフェース検出部をさらに有し、
前記情報付加部はさらに、前記撮影指示が受信される前に前記表示インタフェースが前記撮像装置に装着されていたか否かを示す装着情報を、前記撮影指示に基づいて生成された前記静止画像に付加し、
前記記憶モジュールは、前記送信情報と前記装着情報とが付加された前記静止画像を記憶する請求項１に記載の撮像装置。
【請求項６】
前記記憶モジュールに記憶された前記静止画像の中から、前記ライブ画像の送信が行われていないことを示す前記送信情報と、前記表示インタフェースが前記撮像装置に装着されていることを示す装着情報とが付加された前記静止画像を選択する画像選択部と、
前記画像選択部によって選択された前記静止画像に画像処理を行う画像処理部と、
をさらに有し、
前記通信モジュールはさらに、前記画像処理部によって処理された前記静止画像を前記表示装置に送信する請求項５に記載の撮像装置。
【請求項７】
前記表示インタフェース検出部はさらに、前記表示インタフェースが前記撮像装置に装着されていることを検出した場合、前記表示インタフェースの種類を識別し、
前記情報付加部は、前記撮影指示が受信される前に前記表示インタフェースが前記撮像装置に装着されていたか否かを示し、かつ、前記表示インタフェースが前記撮像装置に装着されていた場合に前記表示インタフェースの種類を示す装着情報を、前記撮影指示に基づいて生成された前記静止画像に付加し、
前記画像処理部は、前記画像選択部によって選択された前記静止画像に対して、前記装着情報が示す前記表示インタフェースの種類に応じた画像処理を行う請求項６に記載の撮像装置。
【請求項８】
撮像装置と、表示装置とを有する撮像システムであって、
前記撮像装置は、
ライブ画像を連続的に生成し、かつ、撮影を行って静止画像を生成する撮像モジュールと、
前記ライブ画像を前記表示装置に送信し、撮影指示を前記表示装置から受信する第１の通信モジュールと、
前記表示装置に対する前記ライブ画像の送信の有無を検出する送信検出部と、
前記撮影指示が受信される前に前記ライブ画像の送信が行われていたか否かを示す送信情報を、前記撮影指示に基づいて生成された前記静止画像に付加する情報付加部と、
前記送信情報が付加された前記静止画像を記憶する記憶モジュールと、
を有し、
前記表示装置は、
前記撮影指示を入力するユーザの操作を受け付ける操作インタフェースと、
前記ライブ画像を前記撮像装置から受信し、前記撮影指示を前記撮像装置に送信する第２の通信モジュールと、
前記ライブ画像の受信と並行して前記ライブ画像を表示する画像表示インタフェースと、
を有する撮像システム。
【請求項９】
前記第１の通信モジュールはさらに、前記送信情報と、前記送信情報が付加された前記静止画像を識別する識別情報と、送信対象の前記静止画像とを前記表示装置に送信し、送信対象の前記静止画像を指定する指定情報を前記表示装置から受信し、
前記第２の通信モジュールはさらに、前記送信情報と前記識別情報と送信対象の前記静止画像とを前記撮像装置から受信し、前記指定情報を前記撮像装置に送信し、
前記表示装置はさらに、前記ライブ画像の送信が行われていないことを示す前記送信情報と対応する前記識別情報から前記指定情報を生成する画像指定部を有する請求項８に記載の撮像システム。
【請求項１０】
前記第１の通信モジュールはさらに、前記静止画像と前記送信情報とを前記表示装置に送信し、
前記第２の通信モジュールはさらに、前記静止画像と前記送信情報とを前記撮像装置から受信し、
前記表示装置はさらに、
前記第２の通信モジュールによって受信された前記静止画像の中から、前記ライブ画像の送信が行われていないことを示す前記送信情報が付加された前記静止画像を選択する画像選択部と、
前記画像選択部によって選択された前記静止画像に画像処理を行う画像処理部と、
を有する請求項８に記載の撮像システム。
【請求項１１】
前記撮像装置はさらに、前記撮像装置に対して装着と取り外しとが可能な、被写体の光学像または前記ライブ画像を表示する表示インタフェースが前記撮像装置に装着されているか否かを検出する表示インタフェース検出部をさらに有し、
前記第１の通信モジュールはさらに、前記静止画像と、前記送信情報と、前記撮影指示が受信される前に前記表示インタフェースが前記撮像装置に装着されていたか否かを示す装着情報とを前記表示装置に送信し、
前記情報付加部はさらに、前記装着情報を、前記撮影指示に基づいて生成された前記静止画像に付加し、
前記記憶モジュールは、前記送信情報と前記装着情報とが付加された前記静止画像を記憶し、
前記第２の通信モジュールはさらに、前記静止画像と前記送信情報と前記装着情報とを前記撮像装置から受信し、
前記表示装置はさらに、
前記第２の通信モジュールによって受信された前記静止画像の中から、前記ライブ画像の送信が行われていないことを示す前記送信情報と、前記表示インタフェースが前記撮像装置に装着されていることを示す装着情報とが付加された前記静止画像を選択する画像選択部と、
前記画像選択部によって選択された前記静止画像に画像処理を行う画像処理部と、
を有する請求項８に記載の撮像システム。
【請求項１２】
前記表示インタフェース検出部はさらに、前記表示インタフェースが前記撮像装置に装着されていることを検出した場合、前記表示インタフェースの種類を識別し、
前記情報付加部は、前記撮影指示が受信される前に前記表示インタフェースが前記撮像装置に装着されていたか否かを示し、かつ、前記表示インタフェースが前記撮像装置に装着されていた場合に前記表示インタフェースの種類を示す装着情報を、前記撮影指示に基づいて生成された前記静止画像に付加し、
前記画像処理部は、前記画像選択部によって選択された前記静止画像に対して、前記装着情報が示す前記表示インタフェースの種類に応じた画像処理を行う請求項１１に記載の撮像システム。
【請求項１３】
撮像モジュールが連続的に生成したライブ画像の受信と並行して前記ライブ画像を表示する表示装置に対する前記ライブ画像の送信の有無を検出する送信検出部が検出を行うステップと、
通信モジュールによって前記表示装置から撮影指示が受信されたとき、前記撮像モジュールが撮影を行って静止画像を生成するステップと、
前記撮影指示が受信される前に前記ライブ画像の送信が行われていたか否かを示す送信情報を、前記撮影指示に基づいて生成された前記静止画像に情報付加部が付加するステップと、
前記送信情報が付加された前記静止画像を記憶モジュールが記憶するステップと、
を有する撮像方法。
【請求項１４】
撮像モジュールが連続的に生成したライブ画像の受信と並行して前記ライブ画像を表示する表示装置に対する前記ライブ画像の送信の有無を検出する送信検出部に検出を行わせるステップと、
通信モジュールによって前記表示装置から撮影指示が受信されたとき、前記撮像モジュールに撮影を行わせて静止画像を生成させるステップと、
前記表示装置から前記撮影指示が受信される前に前記ライブ画像の送信が行われていたか否かを示す送信情報を、前記撮影指示に基づいて生成された前記静止画像に付加するステップと、
前記送信情報が付加された前記静止画像を記憶モジュールに記憶させるステップと、
をコンピュータに実行させるためのプログラム。
【発明の詳細な説明】
【技術分野】
【０００１】
本発明は、静止画像を撮影する技術に関する。
【背景技術】
【０００２】
一般的に、デジタルカメラに代表される撮像装置で静止画像を撮影する場合、ユーザは、表示インタフェースに連続的に表示されるライブ画像（動画像）を見て、構図や、フォーカス、露出等を確認した後、撮影指示を入力する。一方、特許文献１には、動画像の撮影および記録と同時に取得された静止画像と、動画像の撮影が行われていないときに取得された静止画像とを区別する技術が記載されている。
【先行技術文献】
【特許文献】
【０００３】
【特許文献１】特開２００６−１７３９０８号公報
【発明の概要】
【発明が解決しようとする課題】
【０００４】
撮像装置と、撮像装置から送信される画像の表示および撮像装置の制御を行う表示装置とを有する撮像システムでも、一般的な撮影方法と同様の方法で静止画像を撮影することが可能である。例えば、撮像装置から連続的に送信されるライブ画像が表示装置によって表示される。ユーザは、そのライブ画像を見て構図等を確認した後、表示装置に撮影指示を入力する。入力された撮影指示は撮像装置に送信され、撮影指示を受信した撮像装置は撮影を行って静止画像を生成する。
【０００５】
上記の撮像システムでは、実際のシャッターチャンスに対して、ライブ画像の伝送および表示に要する時間と、撮影指示の伝送に要する時間とを合わせた時間、撮影タイミングが遅延する。また、撮像装置と表示装置との通信が無線により行われる場合、撮像装置と表示装置とが起動された直後の撮影では、無線通信の設定等に時間を要するため、シャッターチャンスを逃すことがある。また、ライブ画像の送信、受信、表示に電力を使用するため、電池の残量が少ない場合には撮影を行えないことがある。
【０００６】
このため、表示装置が表示するライブ画像を確認せずに、撮像装置に撮影指示を入力する等により静止画像を撮影するニーズがある。このような撮影では、ライブ画像による構図等の確認を行うことなく、手軽に、かつすぐに静止画像を撮影することができる。撮影後に行われる各種処理の便宜のため、ライブ画像の表示が行われない撮影により生成された静止画像と、ライブ画像が表示された後に行われた通常の撮影により生成された静止画像とを区別できることが望ましい。これによって、例えば、ライブ画像による確認が行われずに生成された静止画像を後で優先的に表示し、ユーザに内容を確認させることができる。
【０００７】
特許文献１に記載された技術では、静止画像に付加される情報によって、動画像の撮影の有無を区別することができるが、動画像の表示の有無を区別することはできない。
【０００８】
本発明は、静止画像の撮影時にライブ画像が表示されたか否かを区別可能な静止画像を撮影する技術を提供する。
【課題を解決するための手段】
【０００９】
本発明は、撮像装置であって、ライブ画像を連続的に生成し、かつ、撮影を行って静止画像を生成する撮像モジュールと、前記ライブ画像の受信と並行して前記ライブ画像を表示する表示装置に前記ライブ画像を送信し、撮影指示を前記表示装置から受信する通信モジュールと、前記表示装置に対する前記ライブ画像の送信の有無を検出する送信検出部と、前記撮影指示が受信される前に前記ライブ画像の送信が行われていたか否かを示す送信情報を、前記撮影指示に基づいて生成された前記静止画像に付加する情報付加部と、前記送信情報が付加された前記静止画像を記憶する記憶モジュールと、を有する撮像装置である。
【００１０】
また、本発明は、撮像装置と、表示装置とを有する撮像システムであって、前記撮像装置は、ライブ画像を連続的に生成し、かつ、撮影を行って静止画像を生成する撮像モジュールと、前記ライブ画像を前記表示装置に送信し、撮影指示を前記表示装置から受信する第１の通信モジュールと、前記表示装置に対する前記ライブ画像の送信の有無を検出する送信検出部と、前記撮影指示が受信される前に前記ライブ画像の送信が行われていたか否かを示す送信情報を、前記撮影指示に基づいて生成された前記静止画像に付加する情報付加部と、前記送信情報が付加された前記静止画像を記憶する記憶モジュールと、を有し、前記表示装置は、前記撮影指示を入力するユーザの操作を受け付ける操作インタフェースと、前記ライブ画像を前記撮像装置から受信し、前記撮影指示を前記撮像装置に送信する第２の通信モジュールと、前記ライブ画像の受信と並行して前記ライブ画像を表示する画像表示インタフェースと、を有する撮像システムである。
【００１１】
また、本発明は、撮像モジュールが連続的に生成したライブ画像の受信と並行して前記ライブ画像を表示する表示装置に対する前記ライブ画像の送信の有無を検出する送信検出部が検出を行うステップと、通信モジュールによって前記表示装置から撮影指示が受信されたとき、前記撮像モジュールが撮影を行って静止画像を生成するステップと、前記撮影指示が受信される前に前記ライブ画像の送信が行われていたか否かを示す送信情報を、前記撮影指示に基づいて生成された前記静止画像に情報付加部が付加するステップと、前記送信情報が付加された前記静止画像を記憶モジュールが記憶するステップと、を有する撮像方法である。
【００１２】
また、本発明は、撮像モジュールが連続的に生成したライブ画像の受信と並行して前記ライブ画像を表示する表示装置に対する前記ライブ画像の送信の有無を検出する送信検出部に検出を行わせるステップと、通信モジュールによって前記表示装置から撮影指示が受信されたとき、前記撮像モジュールに撮影を行わせて静止画像を生成させるステップと、前記表示装置から前記撮影指示が受信される前に前記ライブ画像の送信が行われていたか否かを示す送信情報を、前記撮影指示に基づいて生成された前記静止画像に付加するステップと、前記送信情報が付加された前記静止画像を記憶モジュールに記憶させるステップと、をコンピュータに実行させるためのプログラムである。
【発明の効果】
【００１３】
本発明によれば、ライブ画像の受信と並行してライブ画像を表示する表示装置に対するライブ画像の送信の有無が検出され、ライブ画像の送信が行われていたか否かを示す送信情報が静止画像に付加される。これによって、静止画像の撮影時にライブ画像が表示されたか否かを区別可能な静止画像を撮影することができる。
【図面の簡単な説明】
【００１４】
【図１】本発明の第１の実施形態による撮像システムの構成例を示すブロック図である。
【図２】本発明の第１の実施形態による撮像システムの具体的な構成例を示す外観図である。
【図３】本発明の第１の実施形態による撮像装置の動作の手順の例を示すフローチャートである。
【図４】本発明の第２の実施形態による撮像システムの構成例を示すブロック図である。
【図５】本発明の第２の実施形態による撮像装置の動作の手順の例を示すフローチャートである。
【図６】本発明の第３の実施形態による撮像システムの構成例を示すブロック図である。
【図７】本発明の第３の実施形態による撮像装置の動作の手順の例を示すフローチャートである。
【図８】本発明の第３の実施形態による表示装置の動作の手順の例を示すフローチャートである。
【図９】本発明の第４の実施形態による撮像システムの構成例を示すブロック図である。
【図１０】本発明の第４の実施形態による撮像装置の動作の手順の例を示すフローチャートである。
【図１１】本発明の第５の実施形態による撮像システムの構成例を示すブロック図である。
【図１２】本発明の第５の実施形態による表示装置の動作の手順の例を示すフローチャートである。
【図１３】本発明の第６の実施形態による撮像システムの構成例を示すブロック図である。
【図１４】本発明の第６の実施形態による撮像装置の動作の手順の例を示すフローチャートである。
【図１５】本発明の第７の実施形態による撮像システムの構成例を示すブロック図である。
【図１６】本発明の第７の実施形態による撮像装置の動作の手順の例を示すフローチャートである。
【図１７】本発明の第７の実施形態による撮像装置の動作の手順の例を示すフローチャートである。
【図１８】本発明の第８の実施形態による撮像システムの構成例を示すブロック図である。
【図１９】本発明の第８の実施形態による表示装置の動作の手順の例を示すフローチャートである。
【発明を実施するための形態】
【００１５】
以下、図面を参照し、本発明の実施形態を説明する。
【００１６】
（第１の実施形態）
まず、本発明の第１の実施形態を説明する。図１は、本実施形態による撮像システムの構成例を示している。図１に示す撮像システムは、撮像装置１０と、表示装置２０とを有する。
【００１７】
撮像装置１０は、撮像モジュール１００と、第１の操作インタフェース（第１の操作ＩＦ）１０１と、第１の通信モジュール１０２と、送信検出部１０３と、第１の制御部１０４ａと、記憶モジュール１０５とを有する。
【００１８】
撮像モジュール１００（撮像デバイス）は、ライブ画像を連続的に生成し、かつ、撮影を行って静止画像を生成する。ライブ画像は、動画像を構成する個々の画像（フレーム毎に生成される画像）である。また、ライブ画像は、画像を表示するための画像データを含む。静止画像は、不揮発性記録媒体に記録される画像である。また、静止画像は、画像を表示するための画像データを含む。ライブ画像と静止画像との画素数（解像度）が異なっていてもよい。
【００１９】
第１の操作インタフェース１０１（第１の操作モジュール、第１の操作デバイス）は、第１の撮影指示を入力するユーザの操作を受け付ける。例えば、第１の操作インタフェース１０１は、撮像装置１０に設けられたシャッターボタン（レリーズスイッチ）である。
【００２０】
第１の通信モジュール１０２（第１の通信インタフェース、第１の通信デバイス）は、ライブ画像の受信と並行してライブ画像を表示する表示装置２０にライブ画像を送信し、第２の撮影指示を表示装置２０から受信する。
【００２１】
送信検出部１０３は、表示装置２０に対するライブ画像の送信の有無を検出する。表示装置２０は、ライブ画像を表示するためにライブ画像を撮像装置１０から受信する装置である。撮影時にライブ画像が表示装置２０に送信されていると、表示装置２０でライブ画像が表示され、ユーザがライブ画像を見て構図等を確認することができる。
【００２２】
第１の制御部１０４ａは、ＣＰＵ（Central Processing Unit）等の制御モジュール（制御デバイス）であって、撮像装置１０の動作を制御する。例えば、第１の制御部１０４ａは、第１の操作インタフェース１０１を介して第１の撮影指示が入力された場合、または第１の通信モジュール１０２によって第２の撮影指示が受信された場合、撮影を行って静止画像を生成するように撮像モジュール１００を制御する。第２の撮影指示は、表示装置２０によって送信される、撮像装置１０を制御するコマンドの１つである。
【００２３】
本実施形態では、第１の制御部１０４ａは情報付加部１０４０を有する。情報付加部１０４０は、第１の撮影指示が入力される前、または第２の撮影指示が受信される前にライブ画像の送信が行われていたか否かを示す送信情報を、第１の撮影指示または第２の撮影指示に基づいて撮像モジュール１００によって生成された静止画像に付加する。送信情報は、撮影時にライブ画像の送信が行われていたか否かを示す情報であると共に、撮影時に表示装置２０によってライブ画像が表示されたか否かを示す情報でもある。
【００２４】
例えば、静止画像のファイルに送信情報を埋め込むことによって、送信情報が静止画像に付加される。例えば、静止画像のファイルに埋め込まれるＥＸＩＦ（Exchangeable Image File Format）情報に送信情報が含まれてもよい。また、静止画像のファイルとは別のファイルに送信情報が含まれ、それらのファイルが関連付けられることによって、送信情報が静止画像に付加されてもよい。例えば、送信情報を含むファイルに、静止画像を参照する情報（例えば、静止画像のファイルの識別情報（ファイル名等））が含まれてもよい。
【００２５】
記憶モジュール１０５（記憶デバイス）は、撮像装置１０に内蔵されるメモリ等の不揮発性記録媒体であって、送信情報が付加された静止画像を記憶する。
【００２６】
表示装置２０は、第２の操作インタフェース（第２の操作ＩＦ）２００と、第２の通信モジュール２０１と、画像表示インタフェース（画像表示ＩＦ）２０２と、第２の制御部２０３ａとを有する。
【００２７】
第２の操作インタフェース２００（第２の操作モジュール、第２の操作デバイス）は、第２の撮影指示を入力するユーザの操作を受け付ける。例えば、第２の操作インタフェース２００は、表示装置２０に設けられたボタン（スイッチ）である。画像表示インタフェース２０２がタッチパネルとして構成される場合、第２の操作インタフェース２００は、画像表示インタフェース２０２に表示されるボタン等であってもよい。
【００２８】
第２の通信モジュール２０１（第２の通信インタフェース、第２の通信デバイス）は、ライブ画像を撮像装置１０から受信し、第２の操作インタフェース２００を介して入力された第２の撮影指示を撮像装置１０に送信する。
【００２９】
画像表示インタフェース２０２（画像表示モジュール、画像表示デバイス）は、ライブ画像の受信と並行してライブ画像を表示する。表示装置２０では、ライブ画像の受信と、ライブ画像の表示とは、例えばセットの動作として行われる。
【００３０】
第２の制御部２０３ａは、ＣＰＵ等の制御モジュール（制御デバイス）であって、表示装置２０の動作を制御する。例えば、第２の制御部２０３ａは、第２の通信モジュール２０１によって１フレームのライブ画像が受信された場合、次のフレームのライブ画像が受信される前に、受信されたライブ画像を第２の画像表示インタフェース２０２に出力し、第２の画像表示インタフェース２０２にライブ画像を表示させる。表示装置２０では、最初のフレームのライブ画像の受信の開始から最後のフレームのライブ画像の受信の終了までの期間と、最初のフレームのライブ画像の表示の開始から最後のフレームのライブ画像の表示の終了までの期間との少なくとも一部が重なる。
【００３１】
第１の通信モジュール１０２と第２の通信モジュール２０１とによって行われる、撮像装置１０と表示装置２０との通信は、無線通信と有線通信とのどちらであってもよい。
【００３２】
第１の制御部１０４ａまたは第２の制御部２０３ａの機能は、例えば第１の制御部１０４ａまたは第２の制御部２０３ａの動作を規定する命令を含むプログラムを、撮像装置１０または表示装置２０のコンピュータが読み込んで実行することにより、ソフトウェアの機能として実現可能である。また、このプログラムは、例えばフラッシュメモリのような「コンピュータ読み取り可能な記録媒体」により提供されてもよい。また、上述したプログラムは、このプログラムを記憶装置等に格納したコンピュータから、伝送媒体を介して、あるいは伝送媒体中の伝送波により撮像装置１０または表示装置２０に伝送されることで撮像装置１０または表示装置２０に入力されてもよい。ここで、プログラムを伝送する「伝送媒体」は、インターネット等のネットワーク（通信網）や電話回線等の通信回線（通信線）のように、情報を伝送する機能を有する媒体である。また、上述したプログラムは、前述した機能の一部を実現してもよい。さらに、上述したプログラムは、前述した機能をコンピュータに既に記録されているプログラムとの組合せで実現できる、いわゆる差分ファイル（差分プログラム）であってもよい。
【００３３】
以下では、送信検出部１０３が、表示装置２０に対するライブ画像の送信の有無を検出する方法の例を説明する。例えば、送信検出部１０３は、第１の通信モジュール１０２の動作のＯＮとＯＦＦとを切り替えるスイッチの状態を検出することにより、ライブ画像の送信の有無を検出する。第１の通信モジュール１０２のスイッチの状態がＯＮ時の状態である場合、送信検出部１０３は、ライブ画像の送信が行われていることを検出する。また、第１の通信モジュール１０２のスイッチの状態がＯＦＦ時の状態である場合、送信検出部１０３は、ライブ画像の送信が行われていないことを検出する。スイッチの状態の検出は、機械的な検出により行ってもよいし、電気的な検出により行ってもよい。
【００３４】
あるいは、送信検出部１０３は、第１の通信モジュール１０２に対する電力の供給の有無を検出することにより、ライブ画像の送信の有無を検出してもよい。第１の通信モジュール１０２に電力が供給されている場合、送信検出部１０３は、ライブ画像の送信が行われていることを検出する。また、第１の通信モジュール１０２に電力が供給されていない場合、送信検出部１０３は、ライブ画像の送信が行われていないことを検出する。電力の供給の有無の検出は、第１の通信モジュール１０２に入力される駆動用の電圧または電流の検出により行ってもよい。
【００３５】
あるいは、送信検出部１０３は、撮像装置１０に対して装着と取り外しとが可能な、被写体の光学像またはライブ画像を表示する表示インタフェースが撮像装置１０に装着されているか否かを検出することにより、ライブ画像の送信の有無を検出してもよい。撮像装置１０には、被写体の光学像を表示する表示インタフェースであるＯＶＦ（Optical View Finder）または撮像モジュール１００によって生成されたライブ画像を表示する表示インタフェースであるＥＶＦ（Electronic View Finder）を装着することが可能である。ユーザがＯＶＦまたはＥＶＦを見て構図等を確認した後、静止画像の撮影を行うことが可能である。
【００３６】
一般的に、撮像装置に装着されるＯＶＦまたはＥＶＦよりも表示装置に搭載される表示インタフェースのほうが、表示面積が大きい。また、ＯＶＦが捉える視野範囲は、撮像レンズが捉える視野範囲と必ずしも一致しない。このため、ＯＶＦまたはＥＶＦにより確認を行う場合、表示装置の表示インタフェースに表示されるライブ画像により確認を行う場合よりも、構図等を十分に確認できないことがある。
【００３７】
本実施形態では、ＯＶＦまたはＥＶＦの利用と、表示装置２０の利用とは互いに排他的である。つまり、ＯＶＦまたはＥＶＦが撮像装置１０に装着されている場合、ライブ画像の送信が行われない。ＯＶＦまたはＥＶＦが撮像装置１０に装着されていない場合のみ、ライブ画像の送信が行われる。
【００３８】
ＯＶＦまたはＥＶＦが撮像装置１０に装着されていない場合、送信検出部１０３は、ライブ画像の送信が行われていることを検出する。また、ＯＶＦまたはＥＶＦが撮像装置１０に装着されている場合、送信検出部１０３は、ライブ画像の送信が行われていないことを検出する。ＯＶＦまたはＥＶＦが撮像装置１０に装着されているか否かの検出は、機械的な検出により行ってもよいし、電気的な検出により行ってもよい。
【００３９】
図２は、本実施形態による撮像システムの具体的な構成例を示している。図２に示す撮像システムは、撮像装置１０と、表示装置２０と、撮像レンズ３０とを有する。
【００４０】
撮像装置１０と表示装置２０とは無線通信で接続される。撮像装置１０と表示装置２０とは必ずしも互いに接触していなくてもよい。撮像装置１０の側面には、シャッターボタンとして構成された第１の操作インタフェース１０１が配置されている。ユーザが第１の操作インタフェース１０１を押すことで第１の撮影指示が入力される。また、ＯＶＦまたはＥＶＦである表示インタフェース４０を撮像装置１０の側面に装着することが可能である。
【００４１】
撮像装置１０の前面に撮像レンズ３０が装着されている。撮像レンズ３０は、撮像装置１０に対して装着と取り外しとが可能である。撮像装置１０と撮像レンズ３０とが一体的に構成されていてもよい。
【００４２】
表示装置２０の背面に画像表示インタフェース２０２が配置されている。ユーザは、画像表示インタフェース２０２に表示されるライブ画像を見て、構図等を確認することが可能である。
【００４３】
図３は、撮像装置１０の動作の手順の例を示している。図３を参照して、撮像装置１０の動作を説明する。表示装置２０からライブ画像の送信指示が受信された場合等に、撮像モジュール１００はライブ画像の生成を開始し、第１の通信モジュール１０２はライブ画像を表示装置２０に送信する。図３では、ライブ画像の生成と送信については示されていない。
【００４４】
撮影モードの処理が開始されると、第１の制御部１０４ａは、表示装置２０に対するライブ画像の送信の有無を送信検出部１０３に検出させる（ステップＳ１００）。これによって、送信検出部１０３は、表示装置２０に対するライブ画像の送信の有無を検出する。送信検出部１０３が検出を行った結果は第１の制御部１０４ａに通知される。
【００４５】
送信検出部１０３が検出を行った後、第１の制御部１０４ａは、送信検出部１０３が検出を行った結果に基づいて、ライブ画像の送信が行われているか否かを判定する（ステップＳ１０１）。ライブ画像の送信が行われていると判定された場合、情報付加部１０４０は、値が１である送信情報を生成する（ステップＳ１０２）。また、ライブ画像の送信が行われていないと判定された場合、情報付加部１０４０は、値が０である送信情報を生成する（ステップＳ１０３）。既に送信情報が生成されている場合、ステップＳ１０２，Ｓ１０３では新たな送信情報を生成せずに送信情報の値を書き換えてもよい。
【００４６】
前述したように、送信情報は、第１の操作インタフェース１０１を介して第１の撮影指示が入力される前、または第１の通信モジュール１０２によって第２の撮影指示が受信される前にライブ画像の送信が行われていたか否かを示す情報である。送信情報の値は、ライブ画像の送信の有無を区別できる値であればよく、０および１以外であってもよい。
【００４７】
送信情報が生成された後、第１の制御部１０４ａは、静止画像の撮影が指示されたか否かを判定する（ステップＳ１０４）。第１の操作インタフェース１０１を介して第１の撮影指示が入力された場合、または第１の通信モジュール１０２によって第２の撮影指示が受信された場合、静止画像の撮影が指示されたと判定される。また、第１の操作インタフェース１０１を介して第１の撮影指示が入力されてなく、かつ、第１の通信モジュール１０２によって第２の撮影指示が受信されていない場合、静止画像の撮影が指示されていないと判定される。
【００４８】
静止画像の撮影が指示されていないと判定された場合、ステップＳ１０８の処理が行われる。また、静止画像の撮影が指示されたと判定された場合、第１の制御部１０４ａは、撮像モジュール１００に静止画像の撮影を指示し、撮像モジュール１００に撮影を行わせて静止画像を生成させる（ステップＳ１０５）。これによって、撮像モジュール１００は撮影を行って静止画像を生成する。生成された静止画像は第１の制御部１０４ａに出力される。
【００４９】
静止画像が生成された後、情報付加部１０４０は、ステップＳ１０２またはステップＳ１０３で生成された送信情報を、ステップＳ１０５で第１の撮影指示または第２の撮影指示に基づいて生成された静止画像に付加する（ステップＳ１０６）。送信情報が静止画像に付加された後、第１の制御部１０４ａは、送信情報が付加された静止画像を記憶モジュール１０５に記憶させる（ステップＳ１０７）。これによって、記憶モジュール１０５は、送信情報が付加された静止画像を記憶する。送信情報が静止画像に埋め込まれている場合、静止画像が記憶モジュール１０５に記憶されることで送信情報も記憶モジュール１０５に記憶される。静止画像と送信情報とが分かれており、両者が関連付けられている場合、静止画像と送信情報とが別々に記憶モジュール１０５に記憶される。
【００５０】
静止画像が記憶モジュール１０５に記憶された後、第１の制御部１０４ａは、撮影を終了するか否かを判定する（ステップＳ１０８）。第１の操作インタフェース１０１を介して、撮影を終了する指示が入力された場合、または第１の通信モジュール１０２によって、撮影を終了するコマンドが受信された場合、撮影を終了すると判定される。また、第１の操作インタフェース１０１を介して、撮影を終了する指示が入力されてなく、かつ第１の通信モジュール１０２によって、撮影を終了するコマンドが受信されていない場合、撮影を終了しないと判定される。
【００５１】
撮影を終了すると判定された場合、撮影モードの処理が終了する。また、撮影を終了しないと判定された場合、ステップＳ１００の処理が行われる。ステップＳ１０７の処理が行われた後、ステップＳ１０８の判定を行わずに強制的に撮影モードの処理を終了してもよい。
【００５２】
本実施形態によれば、撮像装置１０であって、ライブ画像を連続的に生成し、かつ、撮影を行って静止画像を生成する撮像モジュール１００と、第１の撮影指示を入力するユーザの操作を受け付ける操作インタフェース（第１の操作インタフェース１０１）と、ライブ画像の受信と並行してライブ画像を表示する表示装置２０にライブ画像を送信し、第２の撮影指示を表示装置２０から受信する通信モジュール（第１の通信モジュール１０２）と、表示装置２０に対するライブ画像の送信の有無を検出する送信検出部１０３と、第１の撮影指示が入力される前、または第２の撮影指示が受信される前にライブ画像の送信が行われていたか否かを示す送信情報を、第１の撮影指示または第２の撮影指示に基づいて生成された静止画像に付加する情報付加部１０４０と、送信情報が付加された静止画像を記憶する記憶モジュール１０５と、を有する撮像装置が構成される。
【００５３】
また、本実施形態によれば、撮像装置１０と、表示装置２０とを有する撮像システムであって、撮像装置１０は、ライブ画像を連続的に生成し、かつ、撮影を行って静止画像を生成する撮像モジュール１００と、第１の撮影指示を入力するユーザの操作を受け付ける第１の操作インタフェース１０１と、ライブ画像を表示装置２０に送信し、第２の撮影指示を表示装置２０から受信する第１の通信モジュール１０２と、表示装置２０に対するライブ画像の送信の有無を検出する送信検出部１０３と、第１の撮影指示が入力される前、または第２の撮影指示が受信される前にライブ画像の送信が行われていたか否かを示す送信情報を、第１の撮影指示または第２の撮影指示に基づいて生成された静止画像に付加する情報付加部１０４０と、送信情報が付加された静止画像を記憶する記憶モジュール１０５と、を有し、表示装置２０は、第２の撮影指示を入力するユーザの操作を受け付ける第２の操作インタフェース２００と、ライブ画像を撮像装置１０から受信し、第２の撮影指示を撮像装置１０に送信する第２の通信モジュール２０１と、ライブ画像の受信と並行してライブ画像を表示する画像表示インタフェース２０２と、を有する撮像システムが構成される。
【００５４】
また、本実施形態によれば、撮像モジュール１００が連続的に生成したライブ画像の受信と並行してライブ画像を表示する表示装置２０に対するライブ画像の送信の有無を検出する送信検出部１０３が検出を行うステップＳ１００と、操作インタフェース（第１の操作インタフェース１０１）を介して第１の撮影指示が入力されたとき、または通信モジュール（第１の通信モジュール１０２）によって表示装置２０から第２の撮影指示が受信されたとき、撮像モジュール１００が撮影を行って静止画像を生成するステップＳ１０５と、第１の撮影指示が入力される前、または第２の撮影指示が受信される前にライブ画像の送信が行われていたか否かを示す送信情報を、第１の撮影指示または第２の撮影指示に基づいて生成された静止画像に情報付加部１０４０が付加するステップＳ１０６と、送信情報が付加された静止画像を記憶モジュール１０５が記憶するステップＳ１０７と、を有する撮像方法が構成される。
【００５５】
また、本実施形態によれば、撮像モジュール１００が連続的に生成したライブ画像の受信と並行してライブ画像を表示する表示装置２０に対するライブ画像の送信の有無を検出する送信検出部１０３に検出を行わせるステップＳ１００と、操作インタフェース（第１の操作インタフェース１０１）に第１の撮影指示が入力されたとき、または通信モジュール（第１の通信モジュール１０２）によって表示装置２０から第２の撮影指示が受信されたとき、撮像モジュール１００に撮影を行わせて静止画像を生成させるステップＳ１０５と、第１の撮影指示が入力される前、または表示装置２０から第２の撮影指示が受信される前にライブ画像の送信が行われていたか否かを示す送信情報を、第１の撮影指示または第２の撮影指示に基づいて生成された静止画像に付加するステップＳ１０６と、送信情報が付加された静止画像を記憶モジュール１０５に記憶させるステップＳ１０７と、をコンピュータに実行させるためのプログラムが構成される。
【００５６】
本実施形態では、ライブ画像の受信と並行してライブ画像を表示する表示装置２０に対するライブ画像の送信の有無が検出され、ライブ画像の送信が行われていたか否かを示す送信情報が静止画像に付加される。これによって、静止画像の撮影時にライブ画像が表示されたか否かを区別可能な静止画像を撮影することができる。
【００５７】
静止画像に付加された送信情報に基づいて、静止画像に対する処理を変更することができる。例えば、ライブ画像の送信が行われずに生成された静止画像をユーザが優先的に確認できるようにしてもよい。また、ライブ画像の送信が行われずに生成された静止画像に対して、画質を加工する、あるいは構図を補正するため等の画像処理を行うようにしてもよい。また、撮像装置１０にＯＶＦまたはＥＶＦが装着された状態で静止画像が撮影された場合に、静止画像に対して、装着された表示インタフェースの種類に応じた画像処理を行うようにしてもよい。
【００５８】
また、ライブ画像の送信が行われずに静止画像が撮影される場合に、撮影の失敗を低減するための撮影制御を行うようにしてもよい。
【００５９】
（第２の実施形態）
次に、本発明の第２の実施形態を説明する。図４は、本実施形態による撮像システムの構成例を示している。図４に示す撮像システムは、撮像装置１１と、表示装置２０とを有する。表示装置２０の構成については既に説明したので、説明を省略する。
【００６０】
撮像装置１１は、撮像モジュール１００と、第１の操作インタフェース１０１と、第１の通信モジュール１０２と、送信検出部１０３と、第１の制御部１０４ｂと、記憶モジュール１０５とを有する。既に説明した構成については説明を省略する。
【００６１】
本実施形態では、第１の制御部１０４ｂは、情報付加部１０４０と、画像選択部１０４１とを有する。情報付加部１０４０については既に説明したので、説明を省略する。画像選択部１０４１は、記憶モジュール１０５に記憶された静止画像の中から、ライブ画像の送信が行われていないことを示す送信情報が付加された静止画像を選択する。また、第１の通信モジュール１０２は、画像選択部１０４１によって選択された静止画像を表示装置２０に送信する。第１の制御部１０４ｂの機能をソフトウェアによって実現してもよい。
【００６２】
図５は、撮像装置１１の動作の手順の例を示している。図５を参照して、撮像装置１１の動作を説明する。図５に示す動作は、図３に示す動作が行われた後に行われる。
【００６３】
処理が開始されると、撮像装置１１は、表示装置２０から送信されるコマンドを待つ。コマンドの受信が検出された場合、第１の制御部１０４ｂは、第１の通信モジュール１０２に対してコマンドを受信させる（ステップＳ２００）。これによって、第１の通信モジュール１０２は、表示装置２０からコマンドを受信する。受信されたコマンドは第１の制御部１０４ｂに出力される。
【００６４】
コマンドが受信された後、第１の制御部１０４ｂは、受信されたコマンドが、静止画像の送信を要求するコマンドであるか否かを判定する（ステップＳ２０２）。受信されたコマンドが、静止画像の送信を要求するコマンドでないと判定された場合、第１の制御部１０４ｂは、受信されたコマンドに応じた処理を行う（ステップＳ２０１）。受信されたコマンドに応じた処理が行われた後、撮像装置１１は、表示装置２０から送信されるコマンドを待つ。受信されたコマンドが、静止画像の送信を要求するコマンドであると判定された場合、第１の制御部１０４ｂは、記憶モジュール１０５に記憶されている静止画像のいずれかを読み込む（ステップＳ２０３）。
【００６５】
第１の制御部１０４ｂは、ステップＳ２０３で記憶モジュール１０５から読み込まれた静止画像に付加された送信情報を調べる（ステップＳ２０４）。第１の制御部１０４ｂは、ステップＳ２０４で調べた送信情報の値が０であるか否かを判定する（ステップＳ２０５）。
【００６６】
送信情報の値が１であると判定された場合、すなわち静止画像の撮影時にライブ画像の送信が行われていた場合、ステップＳ２０８の処理が行われる。また、送信情報の値が０であると判定された場合、すなわち静止画像の撮影時にライブ画像の送信が行われていなかった場合、画像選択部１０４１は、値が０である送信情報に対応する静止画像を送信対象として選択する（ステップＳ２０６）。選択された静止画像は第１の通信モジュール１０２に出力される。
【００６７】
送信対象の静止画像が選択された後、第１の制御部１０４ｂは、第１の通信モジュール１０２に対して、選択された静止画像を表示装置２０へ送信させる（ステップＳ２０７）。これによって、第１の通信モジュール１０２は、選択された静止画像を表示装置２０へ送信する。静止画像の送信は、撮像装置１１で行われる他の処理のバックグラウンド処理によって行われてもよい。
【００６８】
静止画像が送信された後、第１の制御部１０４ｂは、記憶モジュール１０５に記憶されている全ての静止画像を読み込んだか否かを判定する（ステップＳ２０８）。記憶モジュール１０５に記憶されている全ての静止画像を読み込んだと判定された場合、図５に示す処理が終了する。また、まだ読み込まれていない静止画像があると判定された場合、ステップＳ２０３の処理が行われる。
【００６９】
静止画像と送信情報とが分かれており、両者が関連付けられている場合、ステップＳ２０３で送信情報のみを読み込み、ステップＳ２０６で送信情報と関連付けられた静止画像を読み込んでもよい。
【００７０】
表示装置２０からコマンドが受信されず、第１の操作インタフェース１０１を介して静止画像の送信指示が入力された場合等に、ステップＳ２０３以後の処理を行ってもよい。したがって、ステップＳ２００〜Ｓ２０２の処理は本実施形態に必須ではない。
【００７１】
ステップＳ２０７では、静止画像のサムネール画像が表示装置２０に送信されてもよい。サムネール画像が表示装置２０で表示されることによって、所望の被写体を撮影できたか否かをユーザが簡易に確認することができる。
【００７２】
ライブ画像の送信が行われていないことを示す送信情報が付加された１枚の静止画像のみが表示装置２０に送信されてもよい。例えば、記憶モジュール１０５に記憶されている全ての静止画像のサムネール画像の一覧が表示装置２０で表示された後、ユーザがサムネール画像を指定する。指定されたサムネール画像に対応する静止画像に付加された送信情報が、ライブ画像の送信が行われていないことを示している場合、その送信情報が付加された静止画像が表示装置２０に表示される。また、１枚の静止画像のサムネール画像のみが表示装置２０に送信されてもよい。
【００７３】
ライブ画像の送信が行われずに生成された静止画像が表示装置２０に送信された後、撮像装置１１が、ライブ画像の送信が行われた後に生成された静止画像を表示装置２０に送信してもよい。すなわち、画像選択部１０４１はさらに、ライブ画像の送信が行われたことを示す送信情報が付加された静止画像を選択し、第１の通信モジュール１０２は、ライブ画像の送信が行われていないことを示す送信情報が付加された静止画像が送信された後でのみ、ライブ画像の送信が行われたことを示す送信情報が付加された静止画像を表示装置２０に送信してもよい。
【００７４】
本実施形態では、ライブ画像の送信が行われずに生成された静止画像を優先的に表示装置２０に送信することができる。表示装置２０がこの静止画像を画像表示インタフェース２０２に表示することによって、ユーザが静止画像の構図等を優先的に確認することができる。また、ライブ画像の送信が行われずに生成された静止画像の構図等を確認するためにユーザが、記憶モジュール１０５に記憶されている静止画像を選択する手間を減らすことができる。
【００７５】
（第３の実施形態）
次に、本発明の第３の実施形態を説明する。図６は、本実施形態による撮像システムの構成例を示している。図６に示す撮像システムは、撮像装置１０と、表示装置２１とを有する。撮像装置１０の構成については既に説明したので、説明を省略する。
【００７６】
表示装置２１は、第２の操作インタフェース２００と、第２の通信モジュール２０１と、画像表示インタフェース２０２と、第２の制御部２０３ｂとを有する。既に説明した構成については説明を省略する。
【００７７】
本実施形態では、第２の制御部２０３ｂは画像指定部２０３０を有する。画像指定部２０３０は、ライブ画像の送信が行われていないことを示す送信情報と対応する識別情報から、送信対象の静止画像を指定する指定情報を生成する。識別情報は、送信情報が付加された静止画像を識別する情報（例えば、静止画像のファイル名）である。第１の通信モジュール１０２は、送信情報と識別情報と送信対象の静止画像とを表示装置２０に送信し、指定情報を表示装置２０から受信する。第２の通信モジュール２０１は、送信情報と識別情報と送信対象の静止画像とを撮像装置１０から受信し、指定情報を撮像装置１０に送信する。第２の制御部２０３ｂの機能をソフトウェアによって実現してもよい。
【００７８】
図７は、撮像装置１０の動作の手順の例を示している。図７を参照して、撮像装置１０の動作を説明する。図７に示す動作は、図３に示す動作が行われた後に行われる。
【００７９】
処理が開始されると、撮像装置１０は、表示装置２１から送信されるコマンドを待つ。コマンドの受信が検出された場合、第１の制御部１０４ａは、第１の通信モジュール１０２に対してコマンドを受信させる（ステップＳ３００）。これによって、第１の通信モジュール１０２は、表示装置２１からコマンドを受信する。受信されたコマンドは第１の制御部１０４ａに出力される。
【００８０】
コマンドが受信された後、第１の制御部１０４ａは、第１の通信モジュール１０２に対して、コマンドに対する応答を表示装置２１へ送信させる（ステップＳ３０１）。これによって、第１の通信モジュール１０２は、コマンドに対する応答を表示装置２１へ送信する。
【００８１】
コマンドに対する応答が送信された後、第１の制御部１０４ａは、コマンドに関する処理を終了するか否かを判定する（ステップＳ３０２）。例えば、ステップＳ３００で処理の終了を通知するコマンドが受信された場合、コマンドに関する処理を終了すると判定され、それ以外の場合、コマンドに関する処理を終了しないと判定される。
【００８２】
コマンドに関する処理を終了すると判定された場合、図７に示す処理が終了する。また、コマンドに関する処理を終了しないと判定された場合、ステップＳ３００の処理が行われる。
【００８３】
図８は、表示装置２１の動作の手順の例を示している。図８を参照して、表示装置２１の動作を説明する。
【００８４】
処理が開始されると、第２の制御部２０３ｂは、第２の通信モジュール２０１に対して、送信情報と静止画像の識別情報との送信を要求するコマンドを撮像装置１０へ送信させる（ステップＳ３５０）。これによって、第２の通信モジュール２０１は、送信情報と静止画像の識別情報との送信を要求するコマンドを撮像装置１０へ送信する。
【００８５】
表示装置２１によって送信されたコマンドは撮像装置１０によって図７のステップＳ３００で受信される。ステップＳ３０１では、第１の制御部１０４ａは、第１の通信モジュール１０２に対して、記憶モジュール１０５に記憶されている送信情報と、その送信情報が付加された静止画像の識別情報とを表示装置２１へ送信させる。これによって、第１の通信モジュール１０２は、記憶モジュール１０５に記憶されている送信情報と、その送信情報が付加された静止画像の識別情報とを表示装置２１へ送信する。
【００８６】
ステップＳ３５０でコマンドが送信された後、第２の制御部２０３ｂは、第２の通信モジュール２０１に対して、撮像装置１０によって送信された送信情報と識別情報とを受信させる（ステップＳ３５１）。これによって、第２の通信モジュール２０１は、撮像装置１０によって送信された送信情報と識別情報とを受信する。受信された送信情報と識別情報とは第２の制御部２０３ｂに出力される。
【００８７】
表示装置２１によって受信される送信情報と識別情報とは関連付けられている。例えば、送信情報と識別情報とは同一の通信フレームで表示装置２１に送信される。送信情報と識別情報とが同一のファイルに格納されていてもよい。送信情報のファイルとは別のファイルに識別情報が含まれ、それらのファイルの一方に他方を参照する情報が含まれることによって、送信情報と識別情報とが関連付けられてもよい。
【００８８】
送信情報と識別情報とが受信された後、第２の制御部２０３ｂは、受信された送信情報を調べる（ステップＳ３５２）。第２の制御部２０３ｂは、ステップＳ３５２で調べた送信情報の値が０であるか否かを判定する（ステップＳ３５３）。送信情報の値が１であると判定された場合、すなわち静止画像の撮影時にライブ画像の送信が行われていた場合、ステップＳ３５７の処理が行われる。また、送信情報の値が０であると判定された場合、すなわち静止画像の撮影時にライブ画像の送信が行われていなかった場合、画像指定部２０３０は、値が０である送信情報に対応する識別情報から、その送信情報が付加された静止画像を送信対象として指定する指定情報を生成する（ステップＳ３５４）。識別情報と指定情報とが同一であってもよい。生成された指定情報は第２の通信モジュール２０１に出力される。
【００８９】
指定情報が生成された後、第２の制御部２０３ｂは、第２の通信モジュール２０１に対して、生成された指定情報を含み静止画像の送信を要求するコマンドを撮像装置１０へ送信させる（ステップＳ３５５）。これによって、第２の通信モジュール２０１は、生成された指定情報を含み静止画像の送信を要求するコマンドを撮像装置１０へ送信する。
【００９０】
表示装置２１によって送信されたコマンドは撮像装置１０によって図７のステップＳ３００で受信される。ステップＳ３０１では、第１の制御部１０４ａは、第１の通信モジュール１０２に対して、受信されたコマンドに含まれる指定情報によって指定される静止画像を表示装置２１へ送信させる。この静止画像は、記憶モジュール１０５に記憶されている静止画像である。これによって、第１の通信モジュール１０２は、受信されたコマンドに含まれる指定情報によって指定される静止画像を表示装置２１へ送信する。
【００９１】
ステップＳ３５５でコマンドが送信された後、第２の制御部２０３ｂは、第２の通信モジュール２０１に対して、撮像装置１０によって送信された静止画像を受信させる（ステップＳ３５６）。これによって、第２の通信モジュール２０１は、撮像装置１０によって送信された静止画像を受信する。受信された静止画像は第２の制御部２０３ｂに出力される。
【００９２】
静止画像が受信された後、第２の制御部２０３ｂは、撮像装置１０内の全ての静止画像の送信情報を確認したか否かを判定する（ステップＳ３５７）。例えば、撮像装置１０において、送信情報と静止画像の識別情報との送信を要求するコマンドが受信される毎に第１の制御部１０４ａが、全ての静止画像の送信情報を送信したか否かを判定する。全ての静止画像の送信情報が送信された場合、第１の制御部１０４ａが、全ての静止画像の送信情報を確認したことを示す応答を表示装置２１に送信する処理を行う。この応答が第２の通信モジュール２０１によって受信された場合、撮像装置１０内の全ての静止画像の送信情報を確認したと判定され、それ以外の場合、まだ確認していない静止画像の送信情報があると判定される。
【００９３】
撮像装置１０内の全ての静止画像の送信情報を確認したと判定された場合、図８に示す処理が終了する。また、まだ確認していない静止画像の送信情報があると判定された場合、ステップＳ３５０の処理が行われる。
【００９４】
送信情報と静止画像の識別情報との送信を要求するコマンドを表示装置２１が送信しなくてもよい。例えば、第１の操作インタフェース１０１を介して送信情報と静止画像の識別情報との送信指示が入力された場合等に、撮像装置１０が送信情報と静止画像の識別情報とを表示装置２１に送信してもよい。したがって、ステップＳ３５０の処理は本実施形態に必須ではない。
【００９５】
また、ステップＳ３５５で静止画像が受信された後、画像表示インタフェース２０２が受信された静止画像を表示してもよい。また、ステップＳ３５６では、静止画像のサムネール画像が受信されてもよい。
【００９６】
また、図８に示す処理では、ライブ画像の送信が行われていないことを示す送信情報が付加された全ての静止画像が表示装置２１に送信されるが、ライブ画像の送信が行われていないことを示す送信情報が付加された１枚の静止画像のみ（またはそのサムネール画像のみ）が表示装置２１に送信されてもよい。例えば、ステップＳ３５７の処理が行われずに、図８に示す処理が終了してもよい。表示装置２１が、図８に示す処理の全体からステップＳ３５７の処理を除いた処理を繰り返し行うことによって、ライブ画像の送信が行われていないことを示す送信情報が付加された全ての静止画像を表示装置２１が受信してもよい。
【００９７】
ライブ画像の送信が行われずに生成された静止画像が表示装置２１によって受信された後、ライブ画像の送信が行われた後に生成された静止画像を表示装置２１が受信してもよい。すなわち、画像指定部２０３０はさらに、ライブ画像の送信が行われたことを示す送信情報に対応する識別情報から指定情報を生成し、第２の通信モジュール２０１は、ライブ画像の送信が行われていないことを示す送信情報が付加された静止画像が受信された後でのみ、ライブ画像の送信が行われたことを示す送信情報が付加された静止画像を撮像装置１０から受信してもよい。
【００９８】
本実施形態では、ライブ画像の送信が行われずに生成された静止画像を優先的に表示装置２１に送信することができる。表示装置２１がこの静止画像を画像表示インタフェース２０２に表示することによって、ユーザが静止画像の構図等を優先的に確認することができる。また、ライブ画像の送信が行われずに生成された静止画像の構図等を確認するためにユーザが、記憶モジュール１０５に記憶されている静止画像を選択する手間を減らすことができる。
【００９９】
（第４の実施形態）
次に、本発明の第４の実施形態を説明する。図９は、本実施形態による撮像システムの構成例を示している。図９に示す撮像システムは、撮像装置１２と、表示装置２０とを有する。表示装置２０の構成については既に説明したので、説明を省略する。
【０１００】
撮像装置１２は、撮像モジュール１００と、第１の操作インタフェース１０１と、第１の通信モジュール１０２と、送信検出部１０３と、第１の制御部１０４ｃと、記憶モジュール１０５とを有する。既に説明した構成については説明を省略する。
【０１０１】
本実施形態では、第１の制御部１０４ｃは、情報付加部１０４０と、画像選択部１０４１と、画像処理部１０４２とを有する。情報付加部１０４０と、画像選択部１０４１とについては既に説明したので、説明を省略する。画像処理部１０４２は、画像選択部１０４１によって選択された静止画像に画像処理を行う。第１の通信モジュール１０２は、画像処理部１０４２によって処理された静止画像を表示装置２０に送信する。第１の制御部１０４ｃの機能をソフトウェアによって実現してもよい。
【０１０２】
例えば、画像処理部１０４２が行う画像処理は、画像選択部１０４１によって選択された静止画像を、フィルムカメラで撮影した画像に近づける処理である。例えば、画像処理部１０４２は、画像選択部１０４１によって選択された静止画像に粒状ノイズを加算する処理を行う。あるいは、画像処理部１０４２は、画像選択部１０４１によって選択された静止画像に対して、色を強調する処理、色をぼかす処理、白と黒の２階調の画像に変換する処理、画像の周辺部を暗くする処理、コントラストを強調する処理等を行ってもよい。
【０１０３】
あるいは、画像処理部１０４２は、画像選択部１０４１によって選択された静止画像に対して、枠または撮影日時を付加する処理を行ってもよい。あるいは、上記の各種画像処理に対応する画像処理パラメータが記憶モジュール１０５に記憶され、画像処理部１０４２は、記憶モジュール１０５に記憶されている画像処理パラメータをランダムに選択し、画像選択部１０４１によって選択された静止画像に対して、選択された画像処理パラメータに基づく画像処理を行ってもよい。
【０１０４】
図１０は、撮像装置１２の動作の手順の例を示している。図１０を参照して、撮像装置１２の動作を説明する。図１０に示す動作は、図３に示す動作が行われた後に行われる。
【０１０５】
ステップＳ４００〜Ｓ４０６の処理は図５のステップＳ２００〜Ｓ２０６の処理と同様であるので、説明を省略する。ステップＳ４０６で静止画像が選択された後、画像処理部１０４２は、画像選択部１０４１によって選択された静止画像に画像処理を行う（ステップＳ４０７）。
【０１０６】
画像処理が行われた後、第１の制御部１０４ｂは、第１の通信モジュール１０２に対して、画像処理が行われた静止画像を表示装置２０へ送信させる（ステップＳ４０９）。これによって、第１の通信モジュール１０２は、画像処理が行われた静止画像を表示装置２０へ送信する。静止画像が送信された後、図１０に示す処理が終了する。
【０１０７】
ステップＳ４０５で送信情報の値が１であると判定された場合、すなわち静止画像の撮影時にライブ画像の送信が行われていた場合、画像選択部１０４１は、値が１である送信情報に対応する静止画像を送信対象として選択する（ステップＳ４０８）。選択された静止画像は第１の通信モジュール１０２に出力され、ステップＳ４０９で第１の通信モジュール１０２によって表示装置２０に送信される。
【０１０８】
ステップＳ４０９の処理が行われた後、図５のステップＳ２０８の処理と同様の処理を行い、静止画像の送信を繰り返してもよい。
【０１０９】
表示装置２０からコマンドが受信されず、第１の操作インタフェース１０１を介して静止画像の送信指示が入力された場合等に、ステップＳ４０３以後の処理を行ってもよい。したがって、ステップＳ４００〜Ｓ４０２の処理は本実施形態に必須ではない。
【０１１０】
また、ステップＳ４０８の処理が行われなくてもよい。つまり、ライブ画像の送信が行われた後に生成された静止画像が表示装置２０に送信されなくてもよい。したがって、ステップＳ４０８の処理は本実施形態に必須ではない。
【０１１１】
本実施形態では、ライブ画像の送信が行われずに生成された静止画像に対して、ライブ画像の送信が行われた後に生成された静止画像と区別して画像処理を行うことができる。これによって、例えばフィルムカメラで撮影された画像を模擬した静止画像を生成することができる。
【０１１２】
（第５の実施形態）
次に、本発明の第５の実施形態を説明する。図１１は、本実施形態による撮像システムの構成例を示している。図１１に示す撮像システムは、撮像装置１０と、表示装置２２とを有する。撮像装置１０の構成については既に説明したので、説明を省略する。
【０１１３】
表示装置２２は、第２の操作インタフェース２００と、第２の通信モジュール２０１と、画像表示インタフェース２０２と、第２の制御部２０３ｃとを有する。既に説明した構成については説明を省略する。
【０１１４】
本実施形態では、第２の制御部２０３ｃは、画像選択部２０３１と画像処理部２０３２とを有する。画像選択部２０３１は、第２の通信モジュール２０１によって受信された静止画像の中から、ライブ画像の送信が行われていないことを示す送信情報が付加された静止画像を選択する。画像処理部２０３２は、画像選択部２０３１によって選択された静止画像に画像処理を行う。画像処理部２０３２が行う画像処理は、第４の実施形態における画像処理部１０４２が行う画像処理と同様である。第１の通信モジュール１０２は、記憶モジュール１０５に記憶されている静止画像と送信情報とを表示装置２２に送信する。第２の通信モジュール２０１は、静止画像と送信情報とを撮像装置１０から受信する。第２の制御部２０３ｃの機能をソフトウェアによって実現してもよい。
【０１１５】
図１２は、表示装置２２の動作の手順の例を示している。図１２を参照して、表示装置２２の動作を説明する。
【０１１６】
処理が開始されると、第２の制御部２０３ｃは、第２の通信モジュール２０１に対して、静止画像の送信を要求するコマンドを撮像装置１０へ送信させる（ステップＳ５００）。これによって、第２の通信モジュール２０１は、静止画像の送信を要求するコマンドを撮像装置１０へ送信する。
【０１１７】
表示装置２２によって送信されたコマンドは撮像装置１０によって図７のステップＳ３００で受信される。ステップＳ３０１では、第１の制御部１０４ａは、第１の通信モジュール１０２に対して、記憶モジュール１０５に記憶されている静止画像のいずれかを表示装置２２へ送信させる。これによって、第１の通信モジュール１０２は、記憶モジュール１０５に記憶されている静止画像のいずれかを表示装置２２へ送信する。
【０１１８】
送信情報が静止画像に埋め込まれている場合、静止画像が送信されることで送信情報も送信される。静止画像と送信情報とが分かれており、両者が関連付けられている場合、撮像装置１０が静止画像と送信情報とを同時に送信してもよいし、撮像装置１０が静止画像と送信情報とを順次送信してもよい。
【０１１９】
ステップＳ５００でコマンドが送信された後、第２の制御部２０３ｃは、第２の通信モジュール２０１に対して、撮像装置１０によって送信された静止画像と送信情報とを受信させる（ステップＳ５０１）。これによって、第２の通信モジュール２０１は、撮像装置１０によって送信された静止画像と送信情報とを受信する。受信された静止画像と送信情報とは第２の制御部２０３ｃに出力される。
【０１２０】
静止画像と送信情報とが受信された後、第２の制御部２０３ｃは、受信された静止画像に付加された送信情報を調べる（ステップＳ５０２）。第２の制御部２０３ｃは、ステップＳ５０２で調べた送信情報の値が０であるか否かを判定する（ステップＳ５０３）。送信情報の値が０であると判定された場合、すなわち静止画像の撮影時にライブ画像の送信が行われていなかった場合、画像選択部２０３１は、値が０である送信情報に対応する静止画像を表示対象として選択する（ステップＳ５０４）。
【０１２１】
静止画像が選択された後、画像処理部２０３２は、画像選択部２０３１によって選択された静止画像に画像処理を行う（ステップＳ５０５）。画像処理が行われた後、第２の制御部２０３ｃは、画像処理が行われた静止画像を画像表示インタフェース２０２に表示させる（ステップＳ５０７）。これによって、画像表示インタフェース２０２は、画像処理が行われた静止画像を表示する。静止画像が表示された後、図１２に示す処理が終了する。
【０１２２】
また、ステップＳ５０３で送信情報の値が１であると判定された場合、すなわち静止画像の撮影時にライブ画像の送信が行われていた場合、画像選択部２０３１は、値が１である送信情報に対応する静止画像を表示対象として選択する（ステップＳ５０６）。選択された静止画像は画像表示インタフェース２０２に出力され、ステップＳ５０７で画像表示インタフェース２０２によって表示される。
【０１２３】
ステップＳ５０６の処理が行われた後、図８のステップＳ３５７の処理と同様の処理を行い、静止画像と送信情報との受信を繰り返してもよい。
【０１２４】
静止画像の送信を要求するコマンドを表示装置２２が送信しなくてもよい。例えば、第１の操作インタフェース１０１を介して静止画像の送信指示が入力された場合等に、撮像装置１０が静止画像と送信情報とを表示装置２２に送信してもよい。したがって、ステップＳ５００の処理は本実施形態に必須ではない。
【０１２５】
また、ステップＳ５０７の処理が行われなくてもよい。つまり、画像表示インタフェース２０２が静止画像を表示しなくてもよい。したがって、ステップＳ５０７の処理は本実施形態に必須ではない。
【０１２６】
本実施形態では、ライブ画像の送信が行われずに生成された静止画像に対して、ライブ画像の送信が行われた後に生成された静止画像と区別して画像処理を行うことができる。これによって、例えばフィルムカメラで撮影された画像を模擬した静止画像を生成することができる。また、表示装置２２が画像処理を行うので、撮像装置１２が画像処理を行う第４の実施形態と比較して、表示装置２２の第２の制御部２０３ｃを用いた、より複雑な画像処理を行うことが可能となる。
【０１２７】
（第６の実施形態）
次に、本発明の第６の実施形態を説明する。図１３は、本実施形態による撮像システムの構成例を示している。図１３に示す撮像システムは、撮像装置１３と、表示装置２０とを有する。表示装置２０の構成については既に説明したので、説明を省略する。
【０１２８】
撮像装置１３は、撮像モジュール１００と、第１の操作インタフェース１０１と、第１の通信モジュール１０２と、送信検出部１０３と、第１の制御部１０４ｄと、記憶モジュール１０５とを有する。既に説明した構成については説明を省略する。
【０１２９】
本実施形態では、第１の制御部１０４ｄは、情報付加部１０４０と撮影制御部１０４３とを有する。情報付加部１０４０については既に説明したので、説明を省略する。撮影制御部１０４３は、第１の操作インタフェース１０１を介して第１の撮影指示が入力される前、または第１の通信モジュール１０２によって第２の撮影指示が受信される前にライブ画像の送信が行われていない場合、撮像モジュール１００の撮像パラメータを制御する。撮像モジュール１００の撮像パラメータは、撮像モジュール１００の動作を規定するパラメータである。第１の制御部１０４ｄの機能をソフトウェアによって実現してもよい。
【０１３０】
ライブ画像の送信が行われない場合、表示装置２０ではライブ画像が表示されない。ライブ画像による構図等の確認が行われないまま静止画像が撮影されると、撮影に失敗する（ユーザが望む静止画像とは異なる静止画像が撮影される）可能性が大きくなる。撮影制御部１０４３は、ライブ画像の送信が行われない場合の撮影の失敗を抑制するため、撮影時の撮像モジュール１００の撮像パラメータを、予め決定されたパラメータに自動設定する。撮影制御部１０４３によって設定される撮像モジュール１００の撮像パラメータは、記憶モジュール１０５に予め記憶されていてもよい。撮影制御部１０４３は、設定された撮像パラメータに従って撮像モジュール１００を制御し、撮像モジュール１００に静止画像を生成させる。
【０１３１】
例えば、撮影制御部１０４３は、撮影モードをフルオートモードに設定し、シャッタースピードと絞りとのパラメータを撮影シーンに応じて自動的に設定する。あるいは、撮影制御部１０４３は、撮像モジュール１００の撮像領域の中心におけるフォーカス状態を基準にフォーカス制御を行うようにフォーカス制御のパラメータを設定する。あるいは、撮影制御部１０４３は、撮像モジュール１００の撮像領域の中心における露出状態を基準に露出制御を行うように露出制御のパラメータを設定する。
【０１３２】
あるいは、撮影制御部１０４３は、第１の操作インタフェース１０１であるシャッターボタンが半分押された状態となったとき、撮像モジュール１００の撮像領域の中心におけるフォーカス状態を基準にフォーカス制御を開始し、撮像モジュール１００の撮像領域の中心を起点として被写体位置を追尾しながら、その被写体位置を基準にフォーカス制御を行うようにフォーカス制御のパラメータを設定する。
【０１３３】
あるいは、撮影制御部１０４３は、第１の操作インタフェース１０１であるシャッターボタンが半分押された状態となったとき、撮像モジュール１００の撮像領域の中心における露出状態を基準に露出制御を開始し、撮像モジュール１００の撮像領域の中心を起点として被写体位置を追尾しながら、その被写体位置を基準に露出制御を行うように露出制御のパラメータを設定する。
【０１３４】
上記の制御と、以下で説明する制御とを組み合わせてもよい。例えば、撮影制御部１０４３は、記憶モジュール１０５に静止画像を保存する際のフォーマットや圧縮率（ファイルサイズ）、記録画像サイズ（画素数）を設定してもよい。例えば、撮影制御部１０４３は、撮像モジュール１００から出力される画像のフォーマットであるＲＡＷ画像と、ＲＡＷ画像に対して圧縮処理を行った圧縮画像（ＪＰＥＧ画像等）とを記憶モジュール１０５に記憶させてもよい。これらの画像が記憶モジュール１０５に記憶される際、これらの画像の少なくとも一方に、情報付加部１０４０によって生成された送信情報が付加される。
【０１３５】
あるいは、撮影制御部１０４３は、静止画像を撮影するときに撮像装置１３または表示装置２０からシャッター音を出すように、撮像装置１３または表示装置２０の状態パラメータを設定してもよい。撮影制御部１０４３が表示装置２０の状態パラメータを設定する場合、第１の通信モジュール１０２が状態パラメータを表示装置２０に送信し、表示装置２０の第２の通信モジュール２０１が状態パラメータを受信し、第２の制御部２０３ａが、受信された状態パラメータに応じて表示装置２０の状態を制御する。例えば、ライブ画像の送信が行われていない場合、撮像装置１３の状態パラメータによって、撮像装置１３がシャッター音を出す。また、ライブ画像の送信が行われている場合、表示装置２０の状態パラメータによって、表示装置２０がシャッター音を出す。
【０１３６】
あるいは、撮影制御部１０４３は、静止画像を撮影するときに撮像装置１３または表示装置２０がＬＥＤ等の発光素子を発光させるように、撮像装置１３または表示装置２０の状態パラメータを設定してもよい。例えば、ライブ画像の送信が行われていない場合、撮像装置１３の状態パラメータによって、撮像装置１３の発光素子が発光する。また、ライブ画像の送信が行われている場合、表示装置２０の状態パラメータによって、表示装置２０の発光素子が発光する。
【０１３７】
図１４は、撮像装置１３の動作の手順の例を示している。図１４を参照して、撮像装置１３の動作を説明する。図１４では、ライブ画像の生成と送信については示されていない。
【０１３８】
ステップＳ６００〜Ｓ６０８の処理は図３のステップＳ１００〜Ｓ１０８の処理と同様であるので、説明を省略する。ステップＳ６０１でライブ画像の送信が行われていないと判定された場合、撮影制御部１０４３は、撮像モジュール１００の撮像パラメータを設定する（ステップＳ６２０）。撮像パラメータが設定された後、ステップＳ６０３の処理が行われる。
【０１３９】
ステップＳ６２０の処理はステップＳ６０３の処理が行われた後に行われてもよい。また、ステップＳ６０７の処理が行われた後、ステップＳ６０８の判定を行わずに強制的に撮影を終了してもよい。
【０１４０】
本実施形態では、ライブ画像の送信が行われずに静止画の撮影が行われる場合、撮像モジュール１００の撮像パラメータが自動設定されるため、撮影の失敗（ユーザが望む静止画像とは異なる静止画像の撮影）を抑制することができる。
【０１４１】
（第７の実施形態）
次に、本発明の第７の実施形態を説明する。図１５は、本実施形態による撮像システムの構成例を示している。図１５に示す撮像システムは、撮像装置１４と、表示装置２０とを有する。表示装置２０の構成については既に説明したので、説明を省略する。
【０１４２】
撮像装置１４は、撮像モジュール１００と、第１の操作インタフェース１０１と、第１の通信モジュール１０２と、送信検出部１０３と、第１の制御部１０４ｅと、記憶モジュール１０５とを有する。既に説明した構成については説明を省略する。
【０１４３】
本実施形態では、第１の制御部１０４ｅは、情報付加部１０４０と、画像選択部１０４１と、画像処理部１０４２と、表示インタフェース検出部（表示ＩＦ検出部）１０４４とを有する。表示インタフェース検出部１０４４は、撮像装置１４に対して装着と取り外しとが可能な、被写体の光学像またはライブ画像を表示する表示インタフェース（ＯＶＦまたはＥＶＦ）が撮像装置１４に装着されているか否かを検出する。ＯＶＦまたはＥＶＦが撮像装置１４に装着されているか否かの検出は、機械的な検出により行ってもよいし、電気的な検出により行ってもよい。情報付加部１０４０は、第１の操作インタフェース１０１を介して第１の撮影指示が入力される前、または第１の通信モジュール１０２によって第２の撮影指示が受信される前に表示インタフェースが撮像装置１４に装着されていたか否かを示す装着情報を、第１の撮影指示または第２の撮影指示に基づいて生成された静止画像に付加する。記憶モジュール１０５は、送信情報と装着情報とが付加された静止画像を記憶する。情報付加部１０４０が装着情報を静止画像に付加する方法は、情報付加部１０４０が送信情報を静止画像に付加する方法と同様である。
【０１４４】
また、本実施形態では、画像選択部１０４１は、記憶モジュール１０５に記憶された静止画像の中から、ライブ画像の送信が行われていないことを示す送信情報と、表示インタフェースが撮像装置１４に装着されていることを示す装着情報とが付加された静止画像を選択する。画像処理部１０４２は、画像選択部１０４１によって選択された静止画像に画像処理を行う。第１の通信モジュール１０２は、画像処理部１０４２によって処理された静止画像を表示装置２０に送信する。
【０１４５】
また、本実施形態では、表示インタフェース検出部１０４４は、表示インタフェースが撮像装置１４に装着されていることを検出した場合、表示インタフェースの種類を識別する。情報付加部１０４０は、第１の操作インタフェース１０１を介して第１の撮影指示が入力される前、または第１の通信モジュール１０２によって第２の撮影指示が受信される前に表示インタフェースが撮像装置１４に装着されていたか否かを示し、かつ、表示インタフェースが撮像装置１４に装着されていた場合に表示インタフェースの種類を示す装着情報を、第１の撮影指示または第２の撮影指示に基づいて生成された静止画像に付加する。画像処理部１０４２は、画像選択部１０４１によって選択された静止画像に対して、装着情報が示す表示インタフェースの種類に応じた画像処理を行う。第１の制御部１０４ｅの機能をソフトウェアによって実現してもよい。
【０１４６】
例えば、ＯＶＦが撮像装置１４に装着されたときと、ＥＶＦが撮像装置１４に装着されたときとで異なる信号がＯＶＦまたはＥＶＦから出力される。表示インタフェース検出部１０４４は、ＯＶＦまたはＥＶＦから出力された信号に基づいて表示インタフェースの種類を識別する。例えば、ＯＶＦとＥＶＦとのそれぞれに、異なる抵抗値の抵抗素子が搭載され、表示インタフェース検出部１０４４は、抵抗素子に同一の電圧が与えられたときに抵抗素子から出力される電流を検出することによって、表示インタフェースの種類を識別する。
【０１４７】
あるいは、撮像装置１４において表示インタフェースと接触する部分に、表示インタフェースの種類に応じて排他的に押されるスイッチが設けられ、表示インタフェース検出部１０４４は、そのスイッチの状態に基づいて表示インタフェースの種類を識別してもよい。例えば、撮像装置１４の表面にＯＶＦ用の第１のスイッチとＥＶＦ用の第２のスイッチとが設けられ、ＯＶＦが撮像装置１４に搭載された場合には第１のスイッチのみが押され、ＥＶＦが撮像装置１４に搭載された場合には第２のスイッチのみが押される。
【０１４８】
図１６は、撮像装置１４の動作の手順の例を示している。図１６を参照して、撮像装置１４の動作を説明する。図１６では、ライブ画像の生成と送信については示されていない。
【０１４９】
ステップＳ７００〜Ｓ７０３の処理は図３のステップＳ１００〜Ｓ１０３の処理と同様であるので、説明を省略する。ステップＳ７０２またはステップＳ７０３で送信情報が生成された後、表示インタフェース検出部１０４４は、表示インタフェースが撮像装置１４に装着されているか否かを検出し、表示インタフェースが撮像装置１４に装着されていることを検出した場合、表示インタフェースの種類を識別する（ステップＳ７０４）。
【０１５０】
表示インタフェースの検出が行われた後、第１の制御部１０４ｅは、表示インタフェース検出部１０４４が検出を行った結果に基づいて、撮像装置１４に装着されている表示インタフェースがＯＶＦであるか否かを判定する（ステップＳ７０５）。ステップＳ７０４で表示インタフェースが撮像装置１４に装着されていることが検出され、かつ、表示インタフェースの種類がＯＶＦであることが識別された場合、撮像装置１４に装着されている表示インタフェースがＯＶＦであると判定され、それ以外の場合、撮像装置１４に装着されている表示インタフェースがＯＶＦでないと判定される。
【０１５１】
撮像装置１４に装着されている表示インタフェースがＯＶＦであると判定された場合、情報付加部１０４０は、値が０である装着情報を生成する（ステップＳ７０６）。また、撮像装置１４に装着されている表示インタフェースがＯＶＦでないと判定された場合、第１の制御部１０４ｅは、表示インタフェース検出部１０４４が検出を行った結果に基づいて、撮像装置１４に装着されている表示インタフェースがＥＶＦであるか否かを判定する（ステップＳ７０７）。ステップＳ７０４で表示インタフェースが撮像装置１４に装着されていることが検出され、かつ、表示インタフェースの種類がＥＶＦであることが識別された場合、撮像装置１４に装着されている表示インタフェースがＥＶＦであると判定され、それ以外の場合、撮像装置１４に装着されている表示インタフェースがＥＶＦでないと判定される。撮像装置１４に装着されている表示インタフェースがＥＶＦでないと判定された場合、表示インタフェースが撮像装置１４に装着されていないか、ＯＶＦとＥＶＦとのいずれでもない未知の表示インタフェースが装着されている。
【０１５２】
撮像装置１４に装着されている表示インタフェースがＥＶＦであると判定された場合、情報付加部１０４０は、値が１である装着情報を生成する（ステップＳ７０８）。また、撮像装置１４に装着されている表示インタフェースがＥＶＦでないと判定された場合、すなわち表示インタフェースが撮像装置１４に装着されていない場合、情報付加部１０４０は、値が２である装着情報を生成する（ステップＳ７０９）。
【０１５３】
値が０である装着情報は、表示インタフェースが撮像装置１４に装着され、かつ、装着された表示インタフェースがＯＶＦであることを示す。また、値が１である装着情報は、表示インタフェースが撮像装置１４に装着され、かつ、装着された表示インタフェースがＥＶＦであることを示す。また、値が２である装着情報は、表示インタフェースが撮像装置１４に装着されていないこと、またはＯＶＦとＥＶＦとのいずれでもない未知の表示インタフェースが撮像装置１４に装着されていることを示す。装着情報の値は、表示インタフェースの装着の有無と表示インタフェースの種類とを区別できる値であればよく、０，１，２以外であってもよい。
【０１５４】
装着情報が生成された後、第１の制御部１０４ｅは、静止画像の撮影が指示されたか否かを判定する（ステップＳ７１０）。第１の操作インタフェース１０１を介して第１の撮影指示が入力された場合、または第１の通信モジュール１０２によって第２の撮影指示が受信された場合、静止画像の撮影が指示されたと判定される。また、第１の操作インタフェース１０１を介して第１の撮影指示が入力されてなく、かつ、第１の通信モジュール１０２によって第２の撮影指示が受信されていない場合、静止画像の撮影が指示されていないと判定される。
【０１５５】
静止画像の撮影が指示されていないと判定された場合、ステップＳ７１４の処理が行われる。また、静止画像の撮影が指示されたと判定された場合、第１の制御部１０４ｅは、撮像モジュール１００に静止画像の撮影を指示し、撮像モジュール１００に撮影を行わせて静止画像を生成させる（ステップＳ７１１）。これによって、撮像モジュール１００は撮影を行って静止画像を生成する。生成された静止画像は第１の制御部１０４ｅに出力される。
【０１５６】
静止画像が生成された後、情報付加部１０４０は、ステップＳ７０２またはステップＳ７０３で生成された送信情報と、ステップＳ７０６，Ｓ７０８，Ｓ７０９のいずれかで生成された装着情報とを、ステップＳ７１１で第１の撮影指示または第２の撮影指示に基づいて生成された静止画像に付加する（ステップＳ７１２）。送信情報と装着情報とが静止画像に付加された後、第１の制御部１０４ｅは、送信情報と装着情報とが付加された静止画像を記憶モジュール１０５に記憶させる（ステップＳ７１３）。これによって、記憶モジュール１０５は、送信情報と装着情報とが付加された静止画像を記憶する。
【０１５７】
静止画像が記憶モジュール１０５に記憶された後、第１の制御部１０４ｅは、撮影を終了するか否かを判定する（ステップＳ７１４）。第１の操作インタフェース１０１を介して、撮影を終了する指示が入力された場合、または第１の通信モジュール１０２によって、撮影を終了するコマンドが受信された場合、撮影を終了すると判定される。また、第１の操作インタフェース１０１を介して、撮影を終了する指示が入力されてなく、かつ第１の通信モジュール１０２によって、撮影を終了するコマンドが受信されていない場合、撮影を終了しないと判定される。
【０１５８】
撮影を終了すると判定された場合、撮影モードの処理が終了する。また、撮影を終了しないと判定された場合、ステップＳ７００の処理が行われる。ステップＳ７１３の処理が行われた後、ステップＳ７１４の判定を行わずに強制的に撮影モードの処理を終了してもよい。
【０１５９】
図１７は、図１６に示す動作が行われた後に行われる撮像装置１４の動作の手順の例を示している。図１７を参照して、撮像装置１４の動作を説明する。
【０１６０】
ステップＳ７２０〜Ｓ７２５の処理は図５のステップＳ２００〜Ｓ２０５の処理と同様であるので、説明を省略する。ステップＳ７２５で送信情報の値が０であると判定された場合、すなわち静止画像の撮影時にライブ画像の送信が行われていなかった場合、第１の制御部１０４ｅは、ステップＳ７２３で記憶モジュール１０５から読み込まれた静止画像に付加された装着情報を調べる（ステップＳ７２６）。
【０１６１】
第１の制御部１０４ｅは、ステップＳ７２６で調べた装着情報の値が２であるか否かを判定する（ステップＳ７２７）。装着情報の値が２であると判定された場合、すなわち静止画像の撮影時に表示インタフェースが撮像装置１４に装着されていなかった場合、またはＯＶＦとＥＶＦとのいずれでもない未知の表示インタフェースが撮像装置１４に装着されている場合、画像選択部１０４１は、値が０である送信情報と値が２である装着情報とに対応する静止画像を送信対象として選択する（ステップＳ７２８）。選択された静止画像は画像処理部１０４２に出力される。
【０１６２】
静止画像が選択された後、画像処理部１０４２は、選択された静止画像に対して、被写体情報（例えば、被写体の輝度情報）に基づく画像処理を行う（ステップＳ７２９）。例えば、画像処理部１０４２は、特定の被写体（人物の顔等）がより明るくなるように明るさを調整する。あるいは、画像処理部１０４２は、ハレーションが発生している部分がより暗くなるように明るさを調整してもよい。
【０１６３】
画像処理が行われた後、画像処理部１０４２は、選択された静止画像に対して、被写体情報（例えば、被写体の位置情報または姿勢情報）に基づく画像処理であって、ステップＳ７２９で行われた画像処理とは異なる処理を行う（ステップＳ７３２）。例えば、画像処理部１０４２は、特定の被写体（人物の顔等）が含まれる部分をトリミングする。あるいは、画像処理部１０４２は、被写体の姿勢情報に基づいて静止画像を回転する処理を行ってもよい。
【０１６４】
ステップＳ７３２で画像処理部１０４２は、撮影シーンに応じた画像処理を行ってもよい。例えば、撮影シーンが風景の撮影である場合に、画像処理部１０４２は、特定の被写体（水平線等）が特定の傾き（画像に対して水平等）となるように、静止画像を回転する処理を行ってもよい。
【０１６５】
画像処理が行われた後、第１の制御部１０４ｅは、第１の通信モジュール１０２に対して、画像処理が行われた静止画像を表示装置２０へ送信させる（ステップＳ７３４）。これによって、第１の通信モジュール１０２は、画像処理が行われた静止画像を表示装置２０へ送信する。
【０１６６】
静止画像が送信された後、図１７に示す処理が終了する。また、ステップＳ７２５で送信情報の値が１であると判定された場合、すなわち静止画像の撮影時にライブ画像の送信が行われていた場合、その送信情報に対応する静止画像が画像選択部１０４１によって選択されてステップＳ７３４で静止画像が表示装置２０に送信される。
【０１６７】
ステップＳ７２７で装着情報の値が２でないと判定された場合、第１の制御部１０４ｅは、ステップＳ７２６で調べた装着情報の値が０であるか否かを判定する（ステップＳ７３０）。装着情報の値が０であると判定された場合、すなわち静止画像の撮影時にＯＶＦが撮像装置１４に装着されていた場合、画像選択部１０４１は、値が０である送信情報と値が０である装着情報とに対応する静止画像を送信対象として選択する（ステップＳ７３１）。選択された静止画像は画像処理部１０４２に出力され、ステップＳ７３２で画像処理が行われる。
【０１６８】
ステップＳ７３０で装着情報の値が０でないと判定された場合、すなわち装着情報の値が１であり、静止画像の撮影時にＥＶＦが撮像装置１４に装着されていた場合、画像選択部１０４１は、値が０である送信情報と値が１である装着情報とに対応する静止画像を送信対象として選択する（ステップＳ７３３）。選択された静止画像は第１の通信モジュール１０２に出力され、ステップＳ７３４で第１の通信モジュール１０２によって表示装置２０に送信される。ステップＳ７３１，Ｓ７３３のいずれにおいても、画像選択部１０４１は、ライブ画像の送信が行われていないことを示す送信情報と、表示インタフェースが撮像装置１４に装着されていることを示す装着情報とが付加された静止画像を選択する。
【０１６９】
ステップＳ７３４の処理が行われた後、図５のステップＳ２０８の処理と同様の処理を行い、静止画像の送信を繰り返してもよい。また、ステップＳ７３０で装着情報の値が１であると判定された場合、すなわち静止画像の撮影時にＥＶＦが撮像装置１４に装着されていた場合、ステップＳ７３２で行われる画像処理とは異なる画像処理を静止画像に行ってもよい。また、ステップＳ７２５で送信情報の値が０であると判定された場合、すなわち静止画像の撮影時にライブ画像の送信が行われていなかった場合、図１０のステップＳ４０７で行われる画像処理と同様の処理を行ってもよい。
【０１７０】
表示装置２０からコマンドが受信されず、第１の操作インタフェース１０１を介して静止画像の送信指示が入力された場合等に、ステップＳ７２３以後の処理を行ってもよい。したがって、ステップＳ７２０〜Ｓ７２２の処理は本実施形態に必須ではない。
【０１７１】
また、ステップＳ７２５で送信情報の値が１であると判定された場合、すなわち静止画像の撮影時にライブ画像の送信が行われていた場合、静止画像が表示装置２０に送信されなくてもよい。したがって、ライブ画像の送信が行われた後に生成された静止画像の送信は本実施形態に必須ではない。
【０１７２】
本実施形態では、ライブ画像の送信が行われず、かつ表示インタフェースが撮像装置１４に装着されている状態で生成された静止画像に対して、ライブ画像の送信が行われた後に生成された静止画像と区別して画像処理を行うことができる。これによって、表示インタフェースを使用した撮影に適した静止画像を生成することができる。
【０１７３】
また、本実施形態では、ライブ画像の送信が行われず、かつ表示インタフェースが撮像装置１４に装着されている状態で生成された静止画像に対して、表示インタフェースの種類に応じた画像処理を行うことができる。これによって、使用された表示インタフェースに適した静止画像を生成することができる。
【０１７４】
（第８の実施形態）
次に、本発明の第８の実施形態を説明する。図１８は、本実施形態による撮像システムの構成例を示している。図１８に示す撮像システムは、撮像装置１５と、表示装置２２とを有する。表示装置２２の構成については既に説明したので、説明を省略する。
【０１７５】
撮像装置１５は、撮像モジュール１００と、第１の操作インタフェース１０１と、第１の通信モジュール１０２と、送信検出部１０３と、第１の制御部１０４ｆと、記憶モジュール１０５とを有する。既に説明した構成については説明を省略する。
【０１７６】
本実施形態では、第１の制御部１０４ｆは、情報付加部１０４０と表示インタフェース検出部１０４４とを有する。第１の制御部１０４ｆの機能をソフトウェアによって実現してもよい。本実施形態では、静止画像の撮影時に撮像装置１５は、図１６に示す処理を行う。
【０１７７】
本実施形態では、第１の通信モジュール１０２は、静止画像と、送信情報と、第１の操作インタフェース１０１を介して第１の撮影指示が入力される前、または第１の通信モジュール１０２によって第２の撮影指示が受信される前に表示インタフェースが撮像装置１５に装着されていたか否かを示す装着情報とを表示装置２２に送信する。情報付加部１０４０は、装着情報を、第１の撮影指示または第２の撮影指示に基づいて生成された静止画像に付加する。記憶モジュール１０５は、送信情報と装着情報とが付加された静止画像を記憶する。第２の通信モジュール２０１は、静止画像と送信情報と装着情報とを撮像装置１５から受信する。画像選択部２０３１は、第２の通信モジュール２０１によって受信された静止画像の中から、ライブ画像の送信が行われていないことを示す送信情報と、表示インタフェースが撮像装置１５に装着されていることを示す装着情報とが付加された静止画像を選択する。画像処理部２０３２は、画像選択部２０３１によって選択された静止画像に画像処理を行う。
【０１７８】
また、本実施形態では、表示インタフェース検出部１０４４は、表示インタフェースが撮像装置１５に装着されていることを検出した場合、表示インタフェースの種類を識別する。情報付加部１０４０は、第１の操作インタフェース１０１を介して第１の撮影指示が入力される前、または第１の通信モジュール１０２によって第２の撮影指示が受信される前に表示インタフェースが撮像装置１５に装着されていたか否かを示し、かつ、表示インタフェースが撮像装置１５に装着されていた場合に表示インタフェースの種類を示す装着情報を、第１の撮影指示または第２の撮影指示に基づいて生成された静止画像に付加する。画像処理部２０３２は、画像選択部２０３１によって選択された静止画像に対して、装着情報が示す表示インタフェースの種類に応じた画像処理を行う。
【０１７９】
図１９は、表示装置２２の動作の手順の例を示している。図１９を参照して、表示装置２２の動作を説明する。
【０１８０】
処理が開始されると、第２の制御部２０３ｃは、第２の通信モジュール２０１に対して、静止画像の送信を要求するコマンドを撮像装置１５へ送信させる（ステップＳ８００）。これによって、第２の通信モジュール２０１は、静止画像の送信を要求するコマンドを撮像装置１５へ送信する。
【０１８１】
表示装置２２によって送信されたコマンドは撮像装置１５によって図７のステップＳ３００で受信される。ステップＳ３０１では、第１の制御部１０４ｆは、第１の通信モジュール１０２に対して、記憶モジュール１０５に記憶されている静止画像のいずれかを表示装置２２へ送信させる。これによって、第１の通信モジュール１０２は、記憶モジュール１０５に記憶されている静止画像のいずれかを表示装置２２へ送信する。
【０１８２】
送信情報と装着情報とが静止画像に埋め込まれている場合、静止画像が送信されることで送信情報および装着情報も送信される。静止画像と、送信情報および装着情報とが分かれており、両者が関連付けられている場合、撮像装置１５が静止画像と、送信情報および装着情報とを同時に送信してもよいし、撮像装置１５が静止画像と、送信情報および装着情報とを順次送信してもよい。
【０１８３】
ステップＳ８００でコマンドが送信された後、第２の制御部２０３ｃは、第２の通信モジュール２０１に対して、撮像装置１５によって送信された静止画像と送信情報と装着情報とを受信させる（ステップＳ８０１）。これによって、第２の通信モジュール２０１は、撮像装置１５によって送信された静止画像と送信情報と装着情報とを受信する。受信された静止画像と送信情報と装着情報とは第２の制御部２０３ｃに出力される。
【０１８４】
ステップＳ８０２〜Ｓ８０３の処理は図１２のステップＳ５０２〜Ｓ５０３の処理と同様であるので、説明を省略する。ステップＳ８０３で送信情報の値が０であると判定された場合、すなわち静止画像の撮影時にライブ画像の送信が行われていなかった場合、第２の制御部２０３ｃは、ステップＳ８０１で受信された静止画像に付加された装着情報を調べる（ステップＳ８０４）。
【０１８５】
第２の制御部２０３ｃは、ステップＳ８０４で調べた装着情報の値が２であるか否かを判定する（ステップＳ８０５）。装着情報の値が２であると判定された場合、すなわち静止画像の撮影時に表示インタフェースが撮像装置１５に装着されていなかった場合、またはＯＶＦとＥＶＦとのいずれでもない未知の表示インタフェースが撮像装置１５に装着されている場合、画像選択部２０３１は、値が０である送信情報と値が２である装着情報とに対応する静止画像を表示対象として選択する（ステップＳ８０６）。選択された静止画像は画像処理部２０３２に出力される。
【０１８６】
静止画像が選択された後、画像処理部２０３２は、選択された静止画像に対して、被写体情報（例えば、被写体の輝度情報）に基づく画像処理を行う（ステップＳ８０７）。例えば、画像処理部２０３２は、特定の被写体（人物の顔等）がより明るくなるように明るさを調整する。あるいは、画像処理部２０３２は、ハレーションが発生している部分がより暗くなるように明るさを調整してもよい。
【０１８７】
画像処理が行われた後、画像処理部２０３２は、選択された静止画像に対して、被写体情報（例えば、被写体の位置情報または姿勢情報）に基づく画像処理であって、ステップＳ８０７で行われた画像処理とは異なる処理を行う（ステップＳ８１０）。例えば、画像処理部２０３２は、特定の被写体（人物の顔等）が含まれる部分をトリミングする。あるいは、画像処理部２０３２は、被写体の姿勢情報に基づいて静止画像を回転する処理を行ってもよい。
【０１８８】
ステップＳ８１０で画像処理部２０３２は、撮影シーンに応じた画像処理を行ってもよい。例えば、撮影シーンが風景の撮影である場合に、画像処理部２０３２は、特定の被写体（水平線等）が特定の傾き（画像に対して水平等）となるように、静止画像を回転する処理を行ってもよい。
【０１８９】
画像処理が行われた後、第２の制御部２０３ｃは、画像処理が行われた静止画像を画像表示インタフェース２０２に表示させる（ステップＳ８１２）。これによって、画像表示インタフェース２０２は、画像処理が行われた静止画像を表示する。
【０１９０】
静止画像が表示された後、図１９に示す処理が終了する。また、ステップＳ８０３で送信情報の値が１であると判定された場合、すなわち静止画像の撮影時にライブ画像の送信が行われていた場合、その送信情報に対応する静止画像が画像選択部２０３１によって選択されてステップＳ８１２で静止画像が表示装置２０に送信される。
【０１９１】
ステップＳ８０５で装着情報の値が２でないと判定された場合、第２の制御部２０３ｃは、ステップＳ８０４で調べた装着情報の値が０であるか否かを判定する（ステップＳ８０８）。装着情報の値が０であると判定された場合、すなわち静止画像の撮影時にＯＶＦが撮像装置１５に装着されていた場合、画像選択部２０３１は、値が０である送信情報と値が０である装着情報とに対応する静止画像を表示対象として選択する（ステップＳ８０９）。選択された静止画像は画像処理部２０３２に出力され、ステップＳ８１０で画像処理が行われる。
【０１９２】
ステップＳ８０８で装着情報の値が０でないと判定された場合、すなわち装着情報の値が１であり、静止画像の撮影時にＥＶＦが撮像装置１５に装着されていた場合、画像選択部２０３１は、値が０である送信情報と値が１である装着情報とに対応する静止画像を表示対象として選択する（ステップＳ８１１）。選択された静止画像は画像表示インタフェース２０２に出力され、ステップＳ８１２で画像表示インタフェース２０２によって表示される。ステップＳ８０９，Ｓ８１１のいずれにおいても、画像選択部２０３１は、ライブ画像の送信が行われていないことを示す送信情報と、表示インタフェースが撮像装置１５に装着されていることを示す装着情報とが付加された静止画像を選択する。
【０１９３】
ステップＳ８１２の処理が行われた後、図８のステップＳ３５７の処理と同様の処理を行い、静止画像と送信情報との受信を繰り返してもよい。また、ステップＳ８０８で装着情報の値が１であると判定された場合、すなわち静止画像の撮影時にＥＶＦが撮像装置１５に装着されていた場合、ステップＳ８１０で行われる画像処理とは異なる画像処理を静止画像に行ってもよい。また、ステップＳ８０３で送信情報の値が０であると判定された場合、すなわち静止画像の撮影時にライブ画像の送信が行われていなかった場合、図１２のステップＳ５０５で行われる画像処理と同様の処理を行ってもよい。
【０１９４】
静止画像の送信を要求するコマンドを表示装置２２が送信しなくてもよい。例えば、第１の操作インタフェース１０１を介して静止画像の送信指示が入力された場合等に、撮像装置１５が静止画像と送信情報とを表示装置２２に送信してもよい。したがって、ステップＳ８００の処理は本実施形態に必須ではない。
【０１９５】
また、ステップＳ８０３で送信情報の値が１であると判定された場合、すなわち静止画像の撮影時にライブ画像の送信が行われていた場合、静止画像が表示されなくてもよい。したがって、ライブ画像の送信が行われた後に生成された静止画像の表示は本実施形態に必須ではない。
【０１９６】
本実施形態では、ライブ画像の送信が行われず、かつ表示インタフェースが撮像装置１５に装着されている状態で生成された静止画像に対して、ライブ画像の送信が行われた後に生成された静止画像と区別して画像処理を行うことができる。これによって、表示インタフェースを使用した撮影に適した静止画像を生成することができる。また、表示装置２２が画像処理を行うので、撮像装置１２が画像処理を行う第７の実施形態と比較して、表示装置２２の第２の制御部２０３ｃを用いた、より複雑な画像処理を行うことが可能となる。
【０１９７】
また、本実施形態では、ライブ画像の送信が行われず、かつ表示インタフェースが撮像装置１５に装着されている状態で生成された静止画像に対して、表示インタフェースの種類に応じた画像処理を行うことができる。これによって、使用された表示インタフェースに適した静止画像を生成することができる。
【０１９８】
以上、図面を参照して本発明の実施形態について詳述してきたが、具体的な構成は上記の実施形態に限られるものではなく、本発明の要旨を逸脱しない範囲の設計変更等も含まれる。
【符号の説明】
【０１９９】
１０，１１，１２，１３，１４，１５  撮像装置
２０，２１，２２  表示装置
３０  撮像レンズ
４０  表示インタフェース
１００  撮像モジュール
１０１  第１の操作インタフェース
１０２  第１の通信モジュール
１０３  送信検出部
１０４ａ，１０４ｂ，１０４ｃ，１０４ｄ，１０４ｅ，１０４ｆ  第１の制御部
１０５  記憶モジュール
２００  第２の操作インタフェース
２０１  第２の通信モジュール
２０２  画像表示インタフェース
２０３ａ，２０３ｂ，２０３ｃ  第２の制御部
１０４０  情報付加部
１０４１，２０３１  画像選択部
１０４２，２０３２  画像処理部
１０４３  撮影制御部
１０４４  表示インタフェース検出部
２０３０  画像指定部
【図１】
0005927318.tif 000002
【図２】
0005927318.tif 000003
【図３】
0005927318.tif 000004
【図４】
0005927318.tif 000005
【図５】
0005927318.tif 000006
【図６】
0005927318.tif 000007
【図７】
0005927318.tif 000008
【図８】
0005927318.tif 000009
【図９】
0005927318.tif 000010
【図１０】
0005927318.tif 000011
【図１１】
0005927318.tif 000012
【図１２】
0005927318.tif 000013
【図１３】
0005927318.tif 000014
【図１４】
0005927318.tif 000015
【図１５】
0005927318.tif 000016
【図１６】
0005927318.tif 000017
【図１７】
0005927318.tif 000018
【図１８】
0005927318.tif 000019
【図１９】
0005927318.tif 000020